(57)【特許請求の範囲】
【請求項１】
モバイルデバイスの移動状況に基づいて第１基地局から第２基地局への切り替えを行う方法であって、
モバイルデバイスの現在位置および移動状況を、前記モバイルデバイス、前記第１基地局、前記第２基地局またはモバイルサービス切り替えセンタが、取得する段階と、
前記モバイルデバイスの前記現在位置および前記移動状況に基づいて、現時点から、前記モバイルデバイスにサーブする基地局が第１基地局から第２基地局への切り替えを完了する時点までの期間を、前記モバイルデバイス、前記第１基地局、前記第２基地局または前記モバイルサービス切り替えセンタが予測する段階であって、前記第１基地局は、現在、前記モバイルデバイスにサーブする基地局であり、前記第２基地局は、前記モバイルデバイスにサーブする次の基地局である、予測する段階と、
前記モバイルデバイスが前記第１基地局に対する第１通信接続を維持し、前記第２基地局に対する第２通信接続を確立した後に、前記期間が、前記第１基地局から前記第２基地局への前記切り替えの開始から完了までに要求される時間に到達したとき、前記第１基地局から前記第２基地局への前記切り替えを、前記モバイルデバイス、前記第１基地局、前記第２基地局または前記モバイルサービス切り替えセンタが開始する段階と
を備える、
基地局切り替え方法。
【請求項２】
前記モバイルデバイスの前記現在位置および前記移動状況に基づいて、現時点から、前記モバイルデバイスにサーブする基地局が第１基地局から第２基地局への切り替えを完了する時点までの期間を予測する前記段階は、
前記第１基地局と前記第２基地局との間の切り替え境界を前記モバイルデバイス、前記第１基地局、前記第２基地局または前記モバイルサービス切り替えセンタが取得する段階と、
前記移動状況に基づいて、前記モバイルデバイスが前記現在位置から前記切り替え境界に到達するために要求される時間に基づいて、前記期間を前記モバイルデバイス、前記第１基地局、前記第２基地局または前記モバイルサービス切り替えセンタが決定する段階とを備える、
請求項１に記載の方法。
【請求項３】
前記第１基地局の信号強度と前記第２基地局の信号強度との間の強度界面に基づいて、前記切り替え境界を前記モバイルデバイス、前記第１基地局、前記第２基地局または前記モバイルサービス切り替えセンタが決定する段階、または、
前記第１基地局の信号カバレッジ空間の面と前記第２基地局の信号カバレッジ空間の面との間の交点の断面に基づいて、前記切り替え境界を前記モバイルデバイス、前記第１基地局、前記第２基地局または前記モバイルサービス切り替えセンタが決定する段階をさらに備える
請求項２に記載の方法。
【請求項４】
前記モバイルデバイスが、前記第２基地局に対する前記第２通信接続を確立することは、
前記モバイルデバイスが、前記第２基地局の信号カバレッジ空間に入ったときに、前記第２通信接続が確立されることを備える、
請求項１から３の何れか一項に記載の方法。
【請求項５】
前記第１基地局から前記第２基地局への前記切り替えを前記開始する段階は、前記第１基地局、前記第２基地局、または前記モバイルデバイスに対して、前記モバイルデバイスにサーブする前記基地局が、前記第１基地局から前記第２基地局に切り替えられることを示す段階を備える、
請求項１から４の何れか一項に記載の方法。
【請求項６】
前記モバイルデバイスの前記現在位置および現在の方向に基づいて、前記モバイルデバイスにサーブする前記次の基地局を、前記モバイルデバイス、前記第１基地局、前記第２基地局または前記モバイルサービス切り替えセンタが決定する段階、または、
現在、前記モバイルデバイスにサーブする前記基地局および前記モバイルデバイスの現在の方向に基づいて、前記モバイルデバイスにサーブする前記次の基地局を前記モバイルデバイス、前記第１基地局、前記第２基地局または前記モバイルサービス切り替えセンタが決定する段階をさらに備える、
請求項１から５の何れか一項に記載の方法。
【請求項７】
モバイルデバイスの移動状況に基づく基地局切り替え装置は、
モバイルデバイスの現在位置および移動状況を取得するように構成された取得モジュールと、
前記モバイルデバイスの前記現在位置および前記移動状況に基づいて、現時点から、前記モバイルデバイスにサーブする基地局が第１基地局から第２基地局への切り替えを完了する時点までの期間を予測するように構成された予測モジュールであって、前記第１基地局は、現在、前記モバイルデバイスにサーブする基地局であり、前記第２基地局は、前記モバイルデバイスにサーブする次の基地局である、予測モジュールと、
前記モバイルデバイスが前記第１基地局に対する第１通信接続を維持し、前記第２基地局に対する第２通信接続を確立した後に、前記期間が、前記第１基地局から前記第２基地局への前記切り替えの開始から完了までに要求される時間に到達したときに、前記第１基地局から前記第２基地局への前記切り替えを開始するように構成された切り替えモジュールと、を備える、
基地局切り替え装置。
【請求項８】
前記予測モジュールは、
前記第１基地局と前記第２基地局との間の切り替え境界を決定し、
前記移動状況に基づいて、前記現在位置から前記切り替え境界に前記モバイルデバイスが到達するために要求される時間に基づいて、前記期間を決定するように構成される、
請求項７に記載の装置。
【請求項９】
前記予測モジュールは、
前記第１基地局の信号強度と前記第２基地局の信号強度との間の強度界面に基づいて前記切り替え境界を決定し、または、前記第１基地局の信号カバレッジ空間の面と前記第２基地局の信号カバレッジ空間の面との間の交点の断面に基づいて前記切り替え境界を決定するようにさらに構成される、請求項８に記載の装置。
【請求項１０】
前記切り替えモジュールは、前記期間が、前記第１基地局から前記第２基地局への前記切り替えの開始から完了までに要求される前記時間に到達したとき、前記第１基地局、前記第２基地局、または前記モバイルデバイスに対して、前記モバイルデバイスにサーブする前記基地局が前記第１基地局から前記第２基地局に切り替えられることを示すように構成される、請求項７から９の何れか一項に記載の装置。
【請求項１１】
前記予測モジュールは、前記モバイルデバイスの前記現在位置および現在の方向に基づいて、前記モバイルデバイスにサーブする前記次の基地局を決定するように、または、
現在、前記モバイルデバイスにサーブする前記基地局および前記モバイルデバイスの現在の方向に基づいて、前記モバイルデバイスにサーブする前記次の基地局を決定するように、さらに構成される請求項７から１０の何れか一項に記載の装置。
【発明の詳細な説明】
【技術分野】
【０００１】
本発明は無線通信分野に関し、特に、モバイルデバイスの移動状況に基づく基地局切り替え方法および装置に関する。
【背景技術】
【０００２】
インテリジェント交通システム（インテリジェント交通システム、ＩＴＳ）は、高度な情報技術、通信技術、センシング技術、制御技術、コンピュータ技術などを統合および使用することによって、広範囲においてオールラウンドな役割を果たす、リアルタイムで、正確で高効率広範囲の輸送管理システムを確立することが意図される。
【０００３】
ＩＴＳは、効率的に交通設備を使用し、交通負荷および環境汚染を減らし、交通安全を保証し、輸送効率を向上させ得る。ＩＴＳは、輸送システムの将来の開発傾向を示し、インテリジェントシティの重要な部分である。（インテリジェントシティ）ＩＴＳにおける主な参加者は、道路施設、車両、管理センタ、ユーザなどである。
【０００４】
メイン車両として、ＩＴＳにおける車両は、他の車両、道路施設、交通管理センタ、ユーザなどと通信する必要があり、また、これらは、全てのものに対する車両として言及される（全てのものに対する車両、Ｖ２Ｘ）。
【０００５】
Ｖ２Ｘが、ＬＴＥおよび５Ｇのような無線通信ネットワークに基づいて実装されたとき、車両は、基地局のサービングセル間を移動するモバイルデバイスとして使用される。故に、基地局は、車両に提供されるサービスの連続性を保証するために切り替えられる必要がある。
【０００６】
現在、例えば、携帯電話などのモバイルデバイスによって受信された基地局の信号強度に基づいて、基地局が切り替えられることが決定されている。モバイルデバイスによって受信され、現在、モバイルデバイスにサーブする基地局の信号強度が、他の基地局の信号強度より弱いとき、他の基地局は、モバイルデバイスにサーブする次の基地局として使用される。次に、モバイルデバイスは、モバイルデバイスにサーブする次の基地局に対する通信接続を確立し、最後に、基地局によって、モバイルデバイスに提供されるサービスは、現在、モバイルデバイスにサーブする基地局から、モバイルデバイスにサーブする次の基地局へ引き継がれる。
【０００７】
しかしながら、例えば、携帯電話など、従来のモバイルデバイスと比較すると、車両は新しいモバイルデバイスであり、より速い移動速度、送信遅延に関する低い必要条件、およびサービス連続性に関するより高い要求によって、特徴づけられる。この場合、基地局切り替えの適時性および信頼性は、基地局の信号強度のみに基づいて決定することができず、サービングセルと交差する車両の場合でさえあるかもしれず、基地局切り替えは完了されず。
【発明の概要】
【０００８】
本発明の複数の実施形態は、セキュリティの確実性および効率改善の要件を満たすように、より適切な時間で基地局切り替えを開始することができ、迅速で継ぎ目なく基地局切り替えを完了する、モバイルデバイスの移動状況に基づく基地局切り替え方法および装置を提供する。
【０００９】
第１態様によれば、モバイルデバイスの移動状況に基づく基地局切り替え方法が提供され、方法は、モバイルデバイスの現在位置および移動状況を取得する段階と、モバイルデバイスの現在位置および移動状況に基づいて、現時点から、モバイルデバイスにサーブする基地局が第１基地局から第２基地局への切り替えを完了する時点までの期間を予測する段階であって、第１基地局は、現在、モバイルデバイスにサーブする基地局であり、第２基地局は、モバイルデバイスにサーブする次の基地局である、予測する段階と、モバイルデバイスが第１基地局に対する第１通信接続を維持し、第２基地局に対する第２通信接続を確立した後、期間の特定の時期が経過した後、特定の閾値が到達したとき、第１基地局から第２基地局への切り替えを開始する段階とを含む。
【００１０】
可能な実装例において、モバイルデバイスが、第２基地局に対する第２通信接続を確立したとの仮定、および、第１基地局から第２基地局への切り替えの開始から第１基地局から第２基地局への切り替えの完了までに要求される時間に基づいて、閾値が設定される。
【００１１】
可能な実装例において、モバイルデバイスの現在位置および移動状況に基づいて、現時点から、モバイルデバイスにサーブする基地局が第１基地局から第２基地局への切り替えを完了する時点までの期間を予測する段階は、第１基地局と第２基地局との間の切り替え境界を取得する段階と、移動状況に基づいて、モバイルデバイスが位置から切り替え境界に到達するために要求される時間に基づいて、期間を決定する段階とを含む。
【００１２】
可能な実装例において、切り替え境界は、第１基地局の信号強度と第２基地局の信号強度との間の強度界面に基づいて決定され、または、切り替え境界は、第１基地局の信号カバレッジ空間の面と第２基地局の信号カバレッジ空間の面との間の交点の断面に基づいて決定される。
【００１３】
可能な実装例では、モバイルデバイスが第２基地局に対する第２通信接続を確立することは、モバイルデバイスが第２基地局の信号カバレッジ空間に入るとき、第２通信接続が確立されることを含む。
【００１４】
可能な実装例では、基地局の信号カバレッジ空間は、基地局の位置および信号強度に基づいて決定される。
【００１５】
可能な実装例では、第１基地局から第２基地局への切り替えを開始する段階は、第１基地局、第２基地局、および／またはモバイルデバイスに対して、モバイルデバイスにサーブする基地局が、第１基地局から第２基地局へ切り替えられることを指示することを含む。
【００１６】
可能な実装例において、第１基地局から第２基地局への切り替えることが完了することは、第１基地局によって第１通信接続を経由してモバイルデバイスにサーブすることが、第２基地局によって第２通信接続を経由してモバイルデバイスにサーブすることに切り替えされることを含む。
【００１７】
可能な実装例では、第１基地局が第２基地局に切り替えられることは、第１基地局が、モバイルデバイスに提供されるサービスを第２基地局に引き渡すことを含む。
【００１８】
可能な実装例では、モバイルデバイスにサーブする次の基地局は、モバイルデバイスの現在位置および現在の方向に基づいて決定され、またはモバイルデバイスにサーブする次の基地局は、現在、モバイルデバイスにサーブする基地局およびモバイルデバイスの現在の方向に基づいて決定される。
【００１９】
可能な実装例では、現在、モバイルデバイスにサーブする基地局は、モバイルデバイスの現在位置に基づいて決定される。
【００２０】
可能な実装例では、移動状況は、方向、速度、加速度、および角速度の任意の組み合わせを含む。
【００２１】
第２態様によれば、モバイルデバイスの移動状況に基づく基地局切り替えデバイスが提供され、デバイスは、モバイルデバイスの現在位置および移動状況を取得するように構成された取得モジュールと、モバイルデバイスの現在位置および移動状況に基づいて、現時点から、モバイルデバイスにサーブする基地局が第１基地局から第２基地局への切り替えを完了する時点までの期間を予測するように構成された予測モジュールであって、第１基地局は、現在、モバイルデバイスにサーブする基地局であり、第２基地局は、モバイルデバイスにサーブする次の基地局である、予測モジュールと、モバイルデバイスが第１基地局に対する第１通信接続を維持し、第２基地局に対する第２通信接続を確立した後に、期間の特定の時期が経過した後、特定の閾値が到達したとき、第１基地局から第２基地局への切り替えを開始するように構成された切り替えモジュールとを備える。
【００２２】
可能な実装例では、デバイスは、モバイルデバイスが、第２基地局に対する第２通信接続を確立したとの仮定、および、第１基地局から第２基地局への切り替えの開始から第１基地局から第２基地局への切り替えの完了までに要求される時間に基づいて閾値を設定するように構成された設定モジュールをさらに含む。
【００２３】
可能な実装例では、予測モジュールが、モバイルデバイスの現在位置および移動状況に基づいて、現時点から、モバイルデバイスにサーブする基地局が第１基地局から第２基地局への切り替えを完了する時点までの期間を予測することは、取得モジュールが、第１基地局と第２基地局との間の切り替え境界を取得し、移動状況に基づいて、モバイルデバイスが位置から切り替え境界に到達するために要求される時間に基づいて、期間を予測モジュールが決定することを含む。
【００２４】
可能な実装例では、切り替え境界は、第１基地局の信号強度と第２基地局の信号強度との間強度界面に基づいて決定し、または、切り替え境界は、第１基地局の信号カバレッジ空間の面と第２基地局の信号カバレッジ空間の面との間の交点の断面に基づいて決定する。
【００２５】
可能な実装例では、モバイルデバイスが第２基地局に対する第２通信接続を確立することは、モバイルデバイスが第２基地局の信号カバレッジ空間に入るとき、第２通信接続が確立されることを含む。
【００２６】
可能な実装例では、基地局の信号カバレッジ空間は、基地局の位置および信号強度に基づいて決定される。
【００２７】
可能な実装例では、第１基地局から第２基地局への切り替えを開始することは、切り替えモジュールが、第１基地局、第２基地局、および／または、モバイルデバイスに対して、モバイルデバイスにサーブする基地局が第１基地局から第２基地局に切り替えられることを示すことを含む。
【００２８】
可能な実装例では、第１基地局から第２基地局への切り替えることが完了することは、第１基地局によって第１通信接続を経由してモバイルデバイスにサーブすることが、第２基地局によって第２通信接続を経由してモバイルデバイスにサーブすることに切り替えることを含む。
【００２９】
可能な実装例では、第１基地局が第２基地局に切り替えられることは、第１基地局が、モバイルデバイスに提供されるサービス第２基地局に引き渡すことを含む。
【００３０】
可能な実装例では、モバイルデバイスにサーブする次の基地局は、モバイルデバイスの現在位置および現在の方向に基づいて、決定され、または、モバイルデバイスにサーブする次の基地局は、現在、モバイルデバイスにサーブする基地局およびモバイルデバイスの現在の方向に基づいて、決定される。
【００３１】
可能な実装例は、現在、モバイルデバイスにサーブする基地局は、モバイルデバイスの現在位置に基づいて決定される。
【００３２】
可能な実装例では、移動状況は、方向、速度、加速度、および角速度の任意の組み合わせを含む。
【図面の簡単な説明】
【００３３】
【図１】本発明の実施形態に係る重複エリアにおける基地局の切り替え境界を決定する方法１の概略図である。
【００３４】
【図２】本発明の実施形態に係る重複エリアにおける基地局の切り替え境界を決定する方法２の概略図である。
【００３５】
【図３】本発明の実施形態に係るモバイルデバイスの移動状況に基づく基地局切り替え方法の概略図である。
【００３６】
【図４】本発明の実施形態に係るモバイルデバイスの移動状況に基づく基地局切り替え方法のフローチャートである。
【００３７】
【図５】本発明の実施形態に係るモバイルデバイスの移動状況に基づく基地局切り替えデバイスのモジュールの概略図である。
【発明を実施するための形態】
【００３８】
以下では、本発明の実施形態の添付図面を参照して、本発明の実施形態の技術的解決手段を明確かつ十分に説明する。説明される実施形態が、本発明の実施形態の全部ではなく一部であることは明らかである。本発明の実施形態に基づいて、当業者が創造的努力をすることなく取得する他の全ての実施形態は、本発明の保護範囲に含まれることになる。
【００３９】
本発明の複数の実施形態は、無線通信ネットワークにおいて任意のモバイルデバイスに適用できることが理解されるべきである。車両は、より速い移動速度、送信遅延に関する低い必要条件、およびサービス連続性に関するより高い要求によって特徴づけられる典型的なモバイルデバイスの１つにすぎない。説明しやすくするために、本発明の複数の実施形態は、例として車両を用いることによって説明される。しかしながら、これは、適用できるモバイルデバイスに制限を構成するものではない。
【００４０】
ＩＴＳでは、正確な位置決定は、ロケーションベース交通制御およびリソーススケジューリングを実行するための前提条件である。故に、車両は、車両の位置を決定し、および車両の移動方向、速度、加速度、および角速度に基づいてその位置を更新する必要がある。これは、全地球測位システムおよび電子地図のような技術に基づいて実行されてもよい。
【００４１】
無線通信ネットワークでは、基地局の位置および信号強度は、基地局の信号カバレッジ空間に影響を与える。故に、それぞれの基地局と相対的な車両移動の動的な位置は、現在車両にサーブする基地局を決定することに使用され、将来において車両にサーブすることができる基地局を予測することができる。
【００４２】
特定のエリアにおいて、基地局の信号カバレッジ空間の分布図表は、基地局の位置および信号強度に基づいて構築される。位置は、基地局の信号カバレッジ空間の中心を決定し、信号強度は、基地局の信号カバレッジ空間のサイズを決定する。さらに、天文学的要因および地理的要因のような環境要因は、また、基地局の信号カバレッジ空間サイズおよび形状に影響を与えるかもしれない。
【００４３】
もし、１つの基地局の信号カバレッジ空間と、他の基地局の信号カバレッジ空間が部分的に重なるならば、重複エリアにおける２つの基地局間の切り替えを実行するための位置は、以下の２つの方法を使用して決定することができる。
【００４４】
図１は、重複エリアにおける基地局の切り替え境界を決定するための方法１の概略図である。
【００４５】
図１に示されるように、基地局Ａの信号カバレッジ空間と基地局Ｂの信号カバレッジ空間は部分的に重なる。
【００４６】
重複エリアにおいて、基地局Ａの信号強度は、強度界面を形成するための全ての位置で、基地局Ｂの信号強度と比較される。界面上で、基地局Ａの信号強度は、基地局Ｂの信号強度と等しく、界面の一側において、基地局Ａの信号強度は、基地局Ｂの信号強度より強く、界面の他側において、基地局Ａの信号強度は、基地局Ｂの信号強度より弱い。
【００４７】
界面は、車両が移動するとき、車両にサーブする基地局が基地局Ａと基地局Ｂとの間で切り替えられる境界として使用される。基地局Ａの信号強度が基地局Ｂの信号強度より強い側に、車両が入ったとき、基地局は、基地局Ｂから基地局Ａへ切り替えられる。基地局Ａの信号強度が基地局Ｂの信号強度より弱い側に、車両が入ったとき、基地局は、基地局Ａから基地局Ｂへ切り替えられる。
【００４８】
図２は、重複エリアにおける基地局の切り替え境界を決定する方法２の概略図である。
【００４９】
図２に示されるように、基地局Ａの信号カバレッジ空間と基地局Ｂの信号カバレッジ空間は部分的に重なる。
【００５０】
重複エリアにおいて、基地局Ａの信号カバレッジ空間の面と、基地局Ｂの信号カバレッジ空間の面との間の交点で断面が得られる。基地局Ａは、断面および基地局Ａに向く側で好んで使用され、基地局Ｂは、断面および基地局Ｂに向く側で好んで使用される。
【００５１】
断面は、車両が移動するとき、車両にサーブする基地局が基地局Ａと基地局Ｂとの間で切り替えられる境界として使用される。断面および基地局Ａに向く側に、車両が入ったとき、基地局は、基地局Ｂから基地局Ａへ切り替えられる。断面および基地局Ｂに向く側に、車両が入ったとき、基地局は、基地局Ａから基地局Ｂへ切り替えられる。
【００５２】
図３は、モバイルデバイスの移動状況に基づく基地局切り替え方法の概略図である。
【００５３】
図３に示されるように、車両にサーブする基地局は、車両が移動するとき、切り替えれる。
【００５４】
現在車両にサーブする基地局は、基地局の信号カバレッジ空間の分布および車両の現在位置に基づいて決定されてもよく、基地局は基地局Ａであることが仮定される。車両は、基地局Ａとの通信接続ａを確立し、基地局Ａは、通信接続ａを経由して車両にサーブしている。
【００５５】
車両にサーブする次の基地局は、基地局の信号カバレッジ空間の分布、ならびに、車両の現在位置および現在の方向、または、現在車両にサーブする基地局Ａ、および、車両の現在の方向に基づいて決定されてもよく、次の基地局は基地局Ｂであることが、仮定される。車両は、基地局Ｂとの通信接続ｂを確立する必要があり、基地局Ｂは、通信接続ｂを経由して車両にサーブすることができる。
【００５６】
基地局Ａの信号カバレッジ空間内に車両が存在するとき、基地局Ａは依然として車両にサーブする。具体的には、車両が基地局Ａとの通信接続ａを維持しながら、車両が基地局Ｂの信号カバレッジ空間内に移動するとき、車両は、基地局Ｂとの通信接続ｂを予め確立する。
【００５７】
現時点から、車両にサーブする基地局が、基地局Ａから基地局Ｂへの切り替えを完了する時点までの期間は、重複エリアにおける基地局Ａと基地局Ｂとの間の切り替え境界、車両の現在位置および移動状況、および移動状況に基づいて、現在位置から切り替え境界まで車両が移動するために要求される時間に基づいて決定されてもよい。車両の移動状況は、車両の移動方向、速度、加速度、角速度などを含むことができる。
【００５８】
期間は、車両の移動にともなって動的に変化する。期間の特定の時期が経過した後、特定の閾値が到達した場合、基地局切り替えが開始される。具体的には、車両にサーブする基地局が基地局Ａから基地局Ｂへ切り替えられることは、基地局Ａ、基地局Ｂ、および／または車両に示される。車両と基地局Ｂとの間の通信接続が予め確立されているので、閾値は、基地局切り替えの開始から完了までに要求される時間に基づいて設定されてもよい。この期間中、車両に提供されるサービスは、主に、基地局Ａから基地局Ｂへ引き継がれる。この時間は、計算、測定、または統計収集によって取得されてもよい。
【００５９】
移動状況はすべての車両で異なるので、上述した方法を使用して決定された基地局切り替えの開始の時点は、車両の異なる位置に対応してもよい。
【００６０】
基地局切り替えが完了した後、具体的には、通信接続ａを経由して基地局Ａによって車両にサーブすることが、通信接続ｂを経由して基地局Ｂによって車両にサーブすることに切り替えされた後、車両と基地局Ａとの間の通信接続ａは、中断されてもよく、または、車両が基地局Ａの信号カバレッジ空間の外に移動するときのみ中断されてもよい。
【００６１】
図４は、モバイルデバイスの移動状況に基づく基地局切り替え方法の概略フローチャートである。特定の実施形態において、方法は基地局によって実行されてもよく、またはモバイルデバイスによって実行されてもよい。インテリジェントな運転フィールドにおいて、方法は、モバイルサービス切り替えセンタによって実行されてもよい。図４に示されるように、方法Ｓ１００は、以下のステップを含む。
【００６２】
Ｓ１１０、モバイルデバイスの現在位置および移動状況を取得する。
【００６３】
Ｓ１２０、モバイルデバイスの現在位置および移動状況に基づいて、現時点から、モバイルデバイスにサーブする基地局が第１基地局から第２基地局への切り替えを完了する時点までの期間を決定し、第１基地局は、現在、モバイルデバイスにサーブする基地局であり、第２基地局は、モバイルデバイスにサーブする次の基地局である。
【００６４】
Ｓ１３０、モバイルデバイスが第１基地局に対する第１通信接続を維持し、第２基地局に対する第２通信接続を確立した後に、期間の特定の時期が経過した後、特定の閾値が到達したかどうかを決定する。Ｙｅｓの場合、Ｓ１４０を実行し、さもなければＳ１１０に戻る。
【００６５】
Ｓ１４０、第１基地局から第２基地局への切り替えを開始する。
【００６６】
図５は、モバイルデバイスの移動状況に基づく、基地局切り替えデバイスのモジュールの概略図である。
【００６７】
図５に示されるように、装置２００は、取得モジュール２１０、予測モジュール２２０、および切り替えモジュール２３０を含む。
【００６８】
取得モジュール２１０は、モバイルデバイスの現在位置および移動状況を取得するように構成される。可能な実施形態では、移動状況は、方向、速度、加速度、および角速度の任意の組み合わせを含んでもよい。
【００６９】
予測モジュール２２０は、モバイルデバイスの現在位置および移動状況に基づいて、現時点から、モバイルデバイスにサーブする基地局が第１基地局から第２基地局への切り替えを完了する時点までの期間を予測するように構成され、第１基地局は、現在、モバイルデバイスにサーブする基地局であり、第２基地局は、モバイルデバイスにサーブする次の基地局である。
【００７０】
予測モジュールは、モバイルデバイスの現在位置および現在の方向に基づいて、モバイルデバイスにサーブする次の基地局を決定することができる。代わりに、別の態様では、予測モジュール２２０は、現在、モバイルデバイスにサーブする基地局およびモバイルデバイスの現在の方向に基づいて、モバイルデバイスにサーブする次の基地局を決定することができる。
【００７１】
切り替えモジュール２３０は、モバイルデバイスが第１基地局に対する第１通信接続を維持し、第２基地局に対する第２通信接続を確立した後に、期間の特定の時期が経過した後、特定の閾値が到達したときに、第１基地局から第２基地局への切り替えを開始するように構成されている。
【００７２】
実装では、装置２００における切り替えモジュールは、モバイルデバイスが、第２基地局に対する第２通信接続を確立したとの仮定、および第１基地局から第２基地局への切り替えの開始から、第１基地局から第２基地局への切り替えの完了までに要求される時間に基づいて、閾値を設定するようにさらに構成されている。
【００７３】
特定の実装中、予測モジュールは、第１基地局と第２基地局との間の切り替え境界を決定し、移動状況に基づいて、モバイルデバイスが位置から切り替え境界に到達するために要求される時間に基づいて、期間を決定する。ある意味では、予測モジュールは、第１基地局の信号強度と第２基地局の信号強度との間の強度界面に基づく切り替え境界を決定する。代わりに、別の態様では、予測モジュールは、第１基地局の信号カバレッジ空間の面と第２基地局の信号カバレッジ空間の面との間の交点の断面に基づく切り替え境界を決定する。
【００７４】
より具体的な可能な切り替え方式では、モバイルデバイスが、第１基地局に対する第１通信接続を維持し、第２基地局に対する第２通信接続を確立した後に、期間の特定の時期が経過した後、特定の閾値が到達したときに、切り替えモジュールは、第１基地局、第２基地局、またはモバイルデバイスに対して、モバイルデバイスにサーブする基地局が第１基地局から第２基地局へ切り替えられたことを示す。
【００７５】
上述の解決策は、車両、基地局、モバイルサービス切り替えセンタ、または他の機能エンティティによって実装されてもよい。上述の装置２００は、計算および処理能力を有するいくつかのモジュールを伴うプロセッサでもよい。実装者は、重複したカバレッジ空間を有する基地局間の切り替え境界を含む基地局の信号カバレッジ空間の分布、および車両の現在位置および移動状況を理解する必要がある。
【００７６】
本発明のこの実施形態による装置２００は、本発明の複数の実施形態における方法１００の実行主体に対応してもよいことが理解されるべきであり、装置２００のモジュールの上述の他のオペレーションおよび／または機能は、方法１００の対応する手順を実装することをそれぞれ意図する。簡潔にするために、ここでは再び詳細を説明しない。
【００７７】
本発明の複数の実施形態において、「Ａに対応するＢ」は、ＢはＡに関連することを示し、ＢはＡに基づいて決定され得ることが理解されるべきである。しかしながら、Ａに基づいてＢを決定することは、ＢがＡのみに基づいて決定されることを意味せず、言い換えれば、また、Ｂは、Ａおよび／または他の情報に基づいて決定されてもよいことが、さらに理解される。
【００７８】
文脈が明確に除外をサポートしない限り、本明細書で使用される単一形式「１つ（ｏｎｅ）」（「１つの（ａ）」、「１つの（ａｎ）」、および「その（ｔｈｅ）」）も、複数形を含むことを意図することがさらに理解される。本明細書で使用される「および／または」は、１または複数の関連する記載された事項の任意の又は全ての可能な組み合わせを含むことがさらに理解されるべきである。
【００７９】
当業者は、本明細書で開示された実施形態の組み合わせにおいて、実施例におけるユニットおよびアルゴリズムステップは、電子ハードウェア、コンピュータソフトウェア、またはこれらの組み合わせによって実行されてもよいことが想到され得る。ハードウェアとソフトウェアとの間の互換性を明確に説明するために、上述のものは、機能に基づくそれぞれの例の構成およびステップを一般に説明した。機能がハードウェアまたはソフトウェアによって実行されるかは、技術的解決法の特定の適用および設計上の制約で決まる。当業者であれば、異なる方法を使用して、説明された機能を特定の適用毎に実装し得るが、そのような実装が本発明の範囲を超えるものとみなされるべきではない。
【００８０】
簡便で簡素な説明のため、上述のシステム、装置、およびユニットの具体的な動作プロセスについて、上述の方法の実施形態における対応するプロセスを当業者が参照することが、明確に理解されることができる。ここでは再び詳細を説明しない。
【００８１】
本出願において提供されたいくつかの実施形態において、開示されたシステム、装置、および方法は、他の方式において実行されてもよいことが理解されるべきである。例えば、説明された装置の実施形態は、単なる一例にすぎない。例えば、ユニットの分割は単なる論理的機能の分割にすぎず、実際の実装では他の分割であってもよい。例えば、複数のユニットまたはコンポーネントは、別のシステムにに一体化または統合化されてもよく、またはいくつか機能は、無視され、または実行されなくてもよい。さらに、示された又は論じられた相互の連結又は直接的な連結又は通信接続は、いくつかのインタフェース、装置間若しくはユニット間の間接的な連結若しくは通信接続、又は電気的接続、機械的接続、若しくは他の形態の接続を介して実装されてよい。
【００８２】
別個の部分として説明されたユニットは、物理的に離れていてもいなくてもよく、またユニットとして示された部分が物理的ユニットであってもなくてもよく、１か所に位置してもよく、又は複数のネットワークユニットに分散されてもよい。ユニットのいくつかまたは全部は、本発明の複数の実施形態の解決法の目的を達成するための実際のの要件に基づいて選択されてもよい。
【００８３】
さらに、本発明の実施形態における機能ユニットは、１つの処理ユニットに統合されてよい、又は、ユニットのそれぞれが物理的に単独で存在してもよい、又は、２つ又はそれより多いユニットが１つのユニットに統合される。統合されたユニットは、ハードウェアの形態で実装されてもよく、ソフトウェア機能ユニットの形態で実装されてもよい。
【００８４】
ソフトウェア機能ユニットの形態で実装され、個別の製品として販売または使用されるとき、統合されたユニットはコンピュータ可読記憶媒体に記憶されされてもよい。そのような理解に基づいて、本発明の技術的解決手段は基本的に、又は、従来技術に対して貢献する部分は、又は、技術的解決手段のすべて又は一部は、ソフトウェア製品の形式で実装されてよい。コンピュータソフトウェア製品は、記憶媒体に格納され、本発明の実施形態において説明された方法の段階の全て又は一部を実行するようコンピュータデバイス（これは、パーソナルコンピュータ、サーバ、又はネットワークデバイスであってよい）に指示するためのいくつかの命令を含む。前述の記憶媒体は、ＵＳＢフラッシュドライブ、取り外し可能型ハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクなどの、プログラムコードを格納できる任意の媒体を含む。
【００８５】
上述の説明は、単に、本発明の特定の実施形態でにすぎず、本発明の保護範囲を限定することは意図されていない。本発明で開示された技術的範囲内で当業者によって容易に理解される同等の修正または置換は、本発明の保護範囲内に含まれるものとする。したがって、本発明の保護範囲は、特許請求の範囲に記載の保護範囲によって決まることになる。
［項目１］
モバイルデバイスの移動状況に基づく基地局切り替え方法であって、
モバイルデバイスの現在位置および移動状況を取得する段階と、
上記モバイルデバイスの上記現在位置および上記移動状況に基づいて、現時点から、上記モバイルデバイスにサーブする基地局が第１基地局から第２基地局への切り替えを完了する時点までの期間を予測する段階であって、上記第１基地局は、現在、上記モバイルデバイスにサーブする基地局であり、上記第２基地局は、上記モバイルデバイスにサーブする次の基地局である、予測する段階と、
上記モバイルデバイスが上記第１基地局に対する第１通信接続を維持し、上記第２基地局に対する第２通信接続を確立した後に、上記期間の特定の時期が経過した後、特定の閾値が到達したとき、上記第１基地局から上記第２基地局への上記切り替えを開始する段階と
を備える、
基地局切り替え方法。
［項目２］
上記モバイルデバイスが、上記第２基地局に対する上記第２通信接続を確立したとの仮定、および上記第１基地局から上記第２基地局への上記切り替えの上記開始から、上記第１基地局から上記第２基地局への上記切り替えの上記完了までに要求される時間に基づいて上記閾値を設定する段階をさらに備える、
項目１に記載の方法。
［項目３］
上記モバイルデバイスの上記現在位置および上記移動状況に基づいて、現時点から、上記モバイルデバイスにサーブする基地局が第１基地局から第２基地局への切り替えを完了する時点までの期間を予測する段階は、
上記第１基地局と上記第２基地局との間の切り替え境界を取得する段階と、
上記移動状況に基づいて、上記位置から上記切り替え境界に上記モバイルデバイスが到達するために要求される時間に基づく期間を決定する段階とを含む、項目１に記載の方法。
［項目４］
上記第１基地局の信号強度と上記第２基地局の信号強度との間の強度界面に基づき上記切り替え境界を決定する段階、または
上記第１基地局の信号カバレッジ空間の面と第２基地局の信号カバレッジ空間の面との間の交点の断面に基づき上記切り替え境界を決定する段階をさらに備える、
項目３に記載の方法。
［項目５］
上記モバイルデバイスが、上記第２基地局に対する上記第２通信接続を確立することは、
上記モバイルデバイスが、第２基地局の信号カバレッジ空間に入ったときに、上記第２通信接続が確立されることを備える、
項目１または２に記載の方法。
［項目６］
上記第１基地局から上記第２基地局への上記切り替えを上記開始する段階は、
上記第１基地局、上記第２基地局、または上記モバイルデバイスに対して、上記モバイルデバイスにサーブする上記基地局が、上記第１基地局から上記第２基地局に切り替えられることを示す段階を備える、
項目１または２に記載の方法。
［項目７］
上記モバイルデバイスの上記現在位置および現在の方向に基づいて、上記モバイルデバイスにサーブする上記次の基地局を決定する段階、または、
現在、上記モバイルデバイスにサーブする上記基地局および上記モバイルデバイスの現在の方向に基づいて、上記モバイルデバイスにサーブする上記次の基地局を決定する段階をさらに備える、
項目１に記載の方法。
［項目８］
上記移動状況は、方向、速度、加速度、および角速度の任意の組み合わせを含む、項目１または３に記載の方法。
［項目９］
モバイルデバイスの移動状況に基づく基地局切り替え装置は、
モバイルデバイスの現在位置および移動状況を取得するように構成された取得モジュールと、
上記モバイルデバイスの上記現在位置および上記移動状況に基づいて、現時点から、上記モバイルデバイスにサーブする基地局が第１基地局から第２基地局への切り替えを完了する時点までの期間を予測するように構成された予測モジュールであって、上記第１基地局は、現在、上記モバイルデバイスにサーブする基地局であり、上記第２基地局は、上記モバイルデバイスにサーブする次の基地局である、予測モジュールと、
上記モバイルデバイスが上記第１基地局に対する第１通信接続を維持し、上記第２基地局に対する第２通信接続を確立した後に、上記期間の特定の時期が経過した後、特定の閾値が到達したときに、上記第１基地局から上記第２基地局への上記切り替えを開始するように構成された切り替えモジュールと
を備える、
基地局切り替え装置。
［項目１０］
上記モバイルデバイスが、上記第２基地局に対する上記第２通信接続を確立したとの仮定、および上記第１基地局から上記第２基地局への上記切り替えの上記開始から、上記第１基地局から上記第２基地局への上記切り替えの上記完了までに要求される時間に基づいて、上記切り替えモジュールが上記閾値を設定するようにさらに構成される、
項目９に記載の装置。
［項目１１］
上記予測モジュールは、具体的には、
上記第１基地局と上記第２基地局との間の切り替え境界を決定し、
上記移動状況に基づいて、上記位置から上記切り替え境界に上記モバイルデバイスが到達するために要求される時間に基づいて、期間を決定するように構成され、
上記第１基地局は、現在、上記モバイルデバイスにサーブする上記基地局であり、上記第２基地局は、上記モバイルデバイスにサーブする上記次の基地局である、項目９に記載の装置。
［項目１２］
上記予測モジュールは、
上記第１基地局の信号強度と上記第２基地局の信号強度との間の強度界面に基づいて上記切り替え境界を決定し、または、
上記第１基地局の信号カバレッジ空間の面と上記第２基地局の信号カバレッジ空間の面との間の交点の断面に基づいて上記切り替え境界を決定するようにさらに構成される、
項目１１に記載の装置。
［項目１３］
上記切り替えモジュールは、具体的には、上記モバイルデバイスが上記第１基地局に対する上記第１通信接続を維持し、上記第２基地局に対する上記第２通信接続を確立した後に、上記期間の特定の時期が経過した後、上記特定の閾値が到達したとき、上記切り替えモジュールは、上記第１基地局、上記第２基地局、または上記モバイルデバイスに対して、上記モバイルデバイスにサーブする上記基地局が上記第１基地局から上記第２基地局に切り替えられることを示すように構成される、項目９に記載の装置。
［項目１４］
上記予測モジュールは、上記モバイルデバイスの上記現在位置および現在の方向に基づいて、上記モバイルデバイスにサーブする上記次の基地局決定するように、または、
現在、上記モバイルデバイスにサーブする上記基地局および上記モバイルデバイスの現在の方向に基づいて、上記モバイルデバイスにサーブする上記次の基地局を決定するように、さらに構成される項目９に記載の装置。
［項目１５］
上記移動状況は、方向、速度、加速度、および角速度の任意の組み合わせを含む、項目９から１４のいずれか一項に記載の装置。
【図１】
0006961800.tif 000002
【図２】
0006961800.tif 000003
【図３】
0006961800.tif 000004
【図４】
0006961800.tif 000005
【図５】
0006961800.tif 000006